(57)【要約】【課題】液晶表示装置、特に垂直配向型の液晶テレビにおいて、輝度の低下，コントラストの低下，ボケを抑制しつつ、見る角度による階調の変化，色変化を抑制する。【解決手段】  粒子径に応じて可視光波長域の光をより強く散乱（Mie散乱）するような屈折率の異なる０．１〜０．５μm径のサイズの粒子状領域（内面散乱体）を有する光散乱フィルムを、偏光フィルムと組み合わせて液晶表示素子に適用してなり、観察者側の偏光板の観察者側に、前記光散乱フィルムを備える垂直配向型またはツイストネマチック（ＴＮ）配向型の液晶表示素子により表示映像を規定する液晶映像表示装置において、画面法線に対して±４５度の範囲で観察した際に、ガンマの変化が０．５以内，入力輝度信号値がフルレンジの５０％の際の輝度変化が４０%以内であることを特徴とする。【選択図】図１
2007248803.tif 000002
【特許請求の範囲】
【請求項１】
粒子径に応じて可視光波長域の光をより強く散乱（Mie散乱）するような屈折率の異なる０．１〜０．５μm径のサイズの粒子状領域（内面散乱体）を有する光散乱フィルムを、偏光フィルムと組み合わせて液晶表示素子に適用してなり、
観察者側の偏光板の観察者側に、前記光散乱フィルムを備える垂直配向型またはツイストネマチック（ＴＮ）配向型の液晶表示素子により表示映像を規定する液晶映像表示装置において、
画面法線に対して±４５度の範囲で観察した際に、ガンマの変化が０．５以内，入力輝度信号値がフルレンジの５０％の際の輝度変化が４０%以内であることを特徴とする液晶映像表示装置。
【請求項２】
視聴環境の照度を計測できる計測器を備えており、計測される視聴環境の照度に応じて、バックライトユニットの輝度および液晶パネルの透過率を調整することにより、表示輝度を調整する機能を有することを特徴とする請求項１記載の液晶映像表示装置。
【請求項３】
入力輝度信号値がフルレンジの７５%時に、フルレンジの時の７５％以上の輝度値を示すことを特徴とする請求項１または２に記載の液晶映像表示装置。
【請求項４】
液晶セルの画素が、赤，緑，青と、赤または緑の画素より透過輝度の高い白の4つ以上のセルからなることを特徴とする請求項１〜３の何れかに記載の液晶映像表示装置。
【発明の詳細な説明】
【技術分野】
【０００１】
本発明は、光を拡散することにより、液晶表示装置の輝度の低下を抑制し、見る角度により色の変化の少ない液晶表示装置等を形成しうる色補正可能な拡散体に関し、特に垂直配向された液晶セルとともに用いた場合、液晶表示装置を斜め方向から見た際のガンマ特性の変化による色変化を補償し、短波長側の光をより強く散乱し、平行光線透過率の高く後方散乱の少なく、散乱角度が広い拡散体（Mie散乱）に関し、さらには、この拡散体を用いた偏光素子に関し、そして、これを適用した、ボケが少なく、コントラストが高く、明るく、階調の変化、色変化の少ない液晶表示装置に関するものであり、特に液晶テレビのような手軽に高画質映像を視聴しうる液晶映像表示装置に関するものである。
【背景技術】
【０００２】
従来、映像を視聴するためのものとして、ＣＲＴの映像表示装置が使われてきた。
しかし、家庭で使用するには、重量や厚みの制限から、ある程度の設置面積を必要し、設置場所が制限されていた。
【０００３】
そのため、重量も軽く、厚みも薄い、フラットパネルディスプレイが近年使われるようになってきた。
液晶表示装置に代表されようなフラットパネルディスプレイは、軽く、薄いことから、従来、携帯電話、パソコン用モニター、ノートＰＣ、ＦＡ、カーナビゲーション等に、幅広く使用されてきた。
これら、携帯電話，パソコン用モニターでは、文字情報が中心となるため、中間階調がきれいにでる必要性は少なかった。
しかし近年、液晶表示装置が映像表示装置として、液晶テレビ、または、フォトビューアーとして、広く用いられるようになっている。
このようなテレビでは、様々な角度から、文字の情報だけではなく、人の顔や風景等の映像のような、中間階調を多く有する映像も視聴するため、どの角度からみても、映像の印象が変化しない事が求められている。
【０００４】
液晶の方式としてを上記条件を満たすために、現在までにＴＮ方式，ＯＣＢ方式，ＶＡ方式，ＩＰＳ方式等の様々な配向を用いた方式の液晶が発明されてきた。（文献１）
【０００５】
＜ＴＮ方式＞
このうち、ＴＮ方式の液晶ディスプレイは液晶が約９０度ねじれた配向をしており、電荷方向が垂直であり、高い透過率を有し、液晶材料自体も水平配向するものにカイラル剤を混ぜたようなものででき、比較的製造が容易で安価に製造できる。
また、応答性も比較的高く、近年では、１０msecを切るようなもの製品化されてきている。
しかし、リタデーションフィルムにおいて偏光を補正しても、暗部での階調反転が起こってしまい、写真フィルムのネガを見ているような印象となる観察角度があるという欠点を有していた。
【０００６】
＜ＯＣＢ方式＞
ＴＮ方式では液晶が９０°ねじれて配向しているが、他方、配向が１８０°ねじれているＯＣＢ方式がある。
この方式では、位相差補償を用いる事により、視野角による色変化も少なく、階調反転もなくなる。
応答性は、５msecを切るようなものも出ており、ＴＮ型より高応答である。
但し、ベント配向，スプレイ配向の２つの安定状態を持つため、安定した動作のものを作製するのが難しい。
また、左右方向では、輝度の低下を招き難いが、上下方向で透過率の低下による輝度低下を招きやすく、上下の視野角が狭いように感じられる。
【０００７】
＜ＩＰＳ方式＞
ＩＰＳ方式の配向の液晶ディスプレイは液晶が面内で水平にねじれなく配向している。
ＩＰＳは正面から観察した場合と、角度をつけて観察した場合での階調特性の変化が少なく、色相、彩度の変化も少ない。
色付き等の問題から、マルチドメインにする必要性があり、また電極のパターンも片側のガラスにのみ形成する必要があり、複雑である事から、開口率が低下しやすく、電極の形成も難しい。
また、近年高い応答性が得られてきているが、応答性は上げ難く、映像が尾を引きやすい。
液晶の透過率も角度によらず変化は少ないが、バックライトユニットの光が正面方向で輝度が高く、斜め方向の輝度が比較的低いので、画面法線に対し角度をつけて映像を視聴すると、映像が暗く見えてしまい、淡い肌色をした女性の肌が日焼した肌のような印象を受けてしまう。
これを改善するためには、バックライトユニットから斜め方向の射出する光の輝度もあげる必要があるが、これを上げるとバックライトユニットの明るさを特に明るくする必要がある。
【０００８】
＜ＶＡ方式＞
同様に、視域の問題を解決するため、ＶＡ方式の液晶ディスプレイが知られている。
この液晶は、ＴＮ方式やＩＰＳ方式が水平に配向しているのに対して、垂直に配向している。
この配向でも、観察角度により、大きく階調特性が変化するため、マルチドメインにする必要がある。
このようにすることにより反転が起き難くなるが、画面法線に対し角度をつけて観察すると、正面から観察した際よりガンマが１．０程度低下してしまい、画像が全体の白く靄かかったようなになり、淡い肌色をした女性の肌の血色が悪い印象を受けてしまう。
これは、配向そのものに依存する特性であり、セル自身で改良するのは非常に難しい。
この点を改良するために、画素をさらに分割して階調を出す方法があるが、十分に階調特性の変化を抑えられていない。
さらには上記の視野角に対応する画素分割と、階調に対する画素分割を行う必要があり、しかも階調の画素分割したものに対しては、それぞれにことなった駆動をかける必要があり、コストを上げる要因になり、なた、開口率も低下する。
しかし、この垂直配向型の液晶では、角度をつけて液晶を見た場合に、信号レベルが中間の部分で透過率が高いため、正面の輝度が比較的高いバックライトユニットを用いても、斜めからみた映像も明るく見える。
応答性に関しては、ＴＮ型より劣るがＩＰＳよりは良く、比較的高応答を得やすい。
透過率を高くするために信号レベルが高いところまで使用しようとすると、明るい部分で見る角度により階調が大きく乱れてしまうため、あまり透過率を上げられない。
【０００９】
＜リタデーションフィルム＞
この垂直配向型の液晶に、負の一軸性の屈折率異方性を有するフィルムを用いることにより、視域を広げる試みがなされている。
しかし、このフィルムでは、液晶が垂直方向に配向している状態の時有効であり、途中の階調に対しては、補正されないため、見る角度によって、階調が変化することに対しては、有効とは言い難い。
また、中間階調で、特に短波長（４００〜５００ｎｍ）の青色に関して色の変化が大きいという問題点は、解消するのが非常に難しい。
【００１０】
＜拡散フィルム＞
また、拡散フィルムを液晶表示装置の前面に配置することによって、視域を拡大する技術が知られている（特許文献１）。
しかし、これらの技術では、視域拡大効果または反転防止効果は有するものの、十分に色の変化を抑制するものではない。
【００１１】
また、斜め方向に抜ける光が正面にくることによるコントラスト低下を抑制するためにバックライトの光を正面方向に強く集めたものが知られている（特許文献２）。
しかし、このような技術では、光を正面方向に、より強く集める必要があるため、バックライトの構造が複雑で高価になり易く効率も低下しやすい。
しかも、これらは、特に、拡散フィルムの部分を特定するものでもなく、色補正効果への言及がなく、色変化を十分に抑制できると考えられない。
【００１２】
＜階調輝度調整＞
これを補うために、正面のガンマを高めにし、それに伴う輝度低下を正面輝度を高めることによって補っていたが、輝度が高くするためにバックライトユニットに多くのランプを必要とし、コストを上げる要因となっており、明るい色が目に痛いほどになってしまう。
これは画面が大きくなるほど顕著である。
【非特許文献１】２００４年  液晶  第8巻  第2号
【特許文献１】特開平１０−１０５１３号公報
【特許文献２】特開２００４−４７６３号公報
【発明の開示】
【発明が解決しようとする課題】
【００１３】
本発明は、液晶表示装置、特に垂直配向型の液晶テレビにおいて、輝度の低下，コントラストの低下，ボケを抑制しつつ、見る角度による階調の変化，色変化を抑制する色補正可能な拡散体を提供し、さらには、それを用いた偏光素子および液晶表示装置を提供することを目的とする。
特に、正面から視聴した際の映像と、画面法線に対し角度をつけて視聴した際の映像の印象が異ならないようにすることを、主要な解決課題とする。
【課題を解決するための手段】
【００１４】
本発明による液晶映像表示装置は、
粒子径に応じて可視光波長域の光をより強く散乱（Mie散乱）するような屈折率の異なる０．１〜０．５μm径のサイズの粒子状領域（内面散乱体）を有する光散乱フィルムを、偏光フィルムと組み合わせて液晶表示素子に適用してなり、
観察者側の偏光板の観察者側に、前記光散乱フィルムを備える垂直配向型またはツイストネマチック（ＴＮ）配向型の液晶表示素子により表示映像を規定する液晶映像表示装置において、
画面法線に対して±４５度の範囲で観察した際に、ガンマの変化が０．５以内，入力輝度信号値がフルレンジの５０％の際の輝度変化が４０%以内であることを特徴とする。
【発明の効果】
【００１５】
本発明によれば、通常の家庭のリビングのような環境下において、画像が白茶けることなく、色の変化も少なく、且つ画像が暗くなる事がなく、映像の印象が変わらないような液晶映像表示装置が可能である。
また、上記方法により、このような映像を得ようとすると一般的には、光の利用効率が下がり、消費電力が増加してしまうが、上記の解決手段のような手段により、利用効率を高めることができ、環境負荷低減に役立つ液晶映像表示装置を低コストで得ることができる。
【発明を実施するための最良の形態】
【００１６】
ここで用いる液晶表示装置として偏光板をクロスニコルにし、ノーマーリブラックでマルチドメン化される等により色々な方向に液晶が倒れることによって液晶を透過する偏光がみだれ光を透過するような垂直配向型の液晶パネルを用いる事ができる。
【００１７】
また、偏光板をクロスニコルにし、ノーマーリホワイトでツイストネマチック型の液晶で、電荷をかけることにより液晶のねじれが解消され略垂直方向に立つことにより液晶を透過する偏光が旋光せず光を遮断するようなＴＮ方式の液晶パネルも用いることができる。
この場合には、拡散体としては、強く散乱するものが用いられ、ヘイズで、６０以上のよなものが望ましい。
【００１８】
保護フィルムとしては、偏光特性や耐久性などの点より、トリアセチルセルロースなどのセルロース系ポリマーが好ましい。特にトリアセチルセルロースフィルムが好適である。
なお、偏光子の両側に保護フィルムを設ける場合、その表裏で同じポリマー材料からなる保護フィルムを用いてもよく、異なるポリマー材料等からなる保護フィルムを用いても良い。
偏光子と保護フィルムとは、通常、水系粘着剤などを介して密着している。
水系接着剤としては、イソシアネート系接着剤，ポリビニルアルコール系接着剤，ゼラチン系接着剤，ビニル系ラテックス系，水系ポリウレタン，水系ポリエステルなどを例示できる。
これらの接着剤中に、球状体を分散させることにより散乱特性を持たせても良い。
このようにすれば、接着層と、拡散層を兼用する事ができるため、工程を省くことにより、コストダウンが図れる。
【００１９】
また、この保護フィルムの反対面には、ハードコート層や反射防止処理，スティッキング防止，防汚，帯電防止や、拡散ないしアンチグレアを目的とした処理を施したものであってもよい。
【００２０】
ハードコート処理は偏光板表面の傷付き防止などを目的に施されるものであり、例えばアクリル系，シリコーン系などの適宜な紫外線硬化型樹脂による硬度や滑り特性等に優れる硬化皮膜を透明保護フィルムの表面に付加する方式などにて形成することができる。
反射防止処理は、偏光板表面での外光の反射防止を目的に施されるものであり、従来に準じた反射防止膜などの形成により達成することができる。
また、スティッキング防止処理は、隣接層との密着防止を目的に施される。
【００２１】
また、アンチグレア処理は偏光板の表面で外光が反射して偏光板透過光の視認を阻害することの防止などを目的に施されるものであり、例えば、サンドブラスト方式やエンボス加工方式による粗面化方式や透明微粒子の配合方式などの適宜な方式にて透明保護フィルムの表面に微細凹凸構造を付与することにより形成することができる。
表面微細凹凸構造の形成に含有させる微粒子としては、例えば、平均粒径が０．５〜５０μｍのシリカ，アルミナ，チタニア，ジルコニア，酸化錫，酸化インジウム，酸化カドミウム，酸化アンチモンなどからなる導電性のこともある無機系微粒子、架橋又は未架橋のポリマーなどからなる有機系微粒子などの透明微粒子が用いられる。
表面微細凹凸構造を形成する場合、微粒子の使用量は、表面微細凹凸構造を形成する透明樹脂１００重量部に対して一般的に２〜５０重量部程度であり、５〜２５重量部が好ましい。
アンチグレア層は、偏光板透過光を拡散して視角などを拡大するための拡散層（視角拡大機能など）を兼ねるものであっても良い。
【００２２】
なお、前記反射防止層，スティッキング防止層，拡散層やアンチグレア層などは、透明保護フィルムそのものに設けることができるほか、別途光学層として透明保護フィルムとは別体のものとして設けることもできる。
【００２３】
＜視聴環境＞
テレビ映像を鑑賞する場合、よくある設置方法として、部屋の角に設置する方法がある。
多くの家庭では、部屋の角は略９０度であり、これに対して４５度の角度で設置するのが一般的である。
このような場合、観察者は、画面の法線に対して４５度の範囲にいると想定できる。そこで、画面法線に対して±４５度の範囲で観察されることが、想定されるため、この範囲できれいな画像が観察されるのが、望ましい。また、パブリックディスプレイ、マスターモニター等では、これより広い範囲、例えば画面の法線に対して６０度の範囲を想定するのが良い。もちろん、これ以外でも、観察する場合もあるが、その場合でも、階調反転等の破綻がなく、概ね良好に観察できることが望ましい。
【００２４】
通常、家庭で映像を楽しむ際には、人物が多く登場し、特に顔の印象の変化には敏感に感じる。
特に女性，子供の肌の色等の印象は重要である。
発明者らは、様々な市販の液晶表示装置または改善を行った液晶表示装置に映像を観察することにより、ガンマが変化し軟調になると肌の血色が悪く見え、肌の色が暗くなることにより、日焼したような印象を受けることを見出した。
また、様々な実験から、液晶映像表示装置の階調特性変化、明るさの変化をある範囲にとどめる事により、映像の印象の変化が通常の家庭での視聴では実用上問題ない程度になることを見出した。
従来は、ＣＲＴテレビのような自発光形の映像表示装置が用いられてきたため、このような知見は得られていなかった。
また、従来の液晶表示装置において、視聴角度の変化に伴う、階調特性，中間色の明るさ変化が、映像の印象が通常の家庭での視聴では実用上問題ない程度のものは実現されていなかった。
【００２５】
＜ガンマの変化＞
階調特性においてガンマ値は、映像の印象に大きく影響を与える。
この変化量の基準としては、例えば、日本における放送規格であるＮＴＳＣにおいては、２．２と設定されており、欧米で用いられているＰＡＬの規格では、２．６と定められているが、これらの規格の差による映像の差は、違和感を感じたり印象に差異を感じる程ではなく、これらのことから概ね０．５程度以内の変化は映像の印象に影響を与えないと考える。
このガンマは、特に暗い部分であり潰れやすい１０ｃｄ／m2以下の部分を除き、ハイライト以外としてよく使われる信号である入力信号レベルがフルレンジの５０％までの部分で規定するのが妥当と考えられる。
計測する際には、例えば通常の液晶では、画面内斜め４５度の方向がガンマ変化が激しいので、これに沿って行うのが望ましい。
【００２６】
＜色の変化＞
このようなディスプレイにより、画像が全体の靄かかったように白くなる印象が無く、人の肌の色の血色の再現性も良好であった。
また、通常の映像表示装置では、このような階調特性であれば、目の色順応もあり、特に色変化も気にはならないが、色変化として、U’V’表色系での変化量ΔU’V’として、（U’ｘU’+V’ｘV’）1/2 指標とし、上記観察角度範囲において、ΔU’V’で０．０４以下にすることにより、実質的に色変化を知覚しないディプレイを得ることができる。
さらに厳しい品質を求められるものには、ΔU’V’で０．０２以下が望ましい。
このときの試験色としては、例えば、ＣＩＥ１９７４で規定されている８試験色近傍の色、またＪＩＳＺ８７２６の１５試験色の近傍の色、またはマンセルカラーチャートの近傍色を用いても良い。
【００２７】
＜輝度変化＞
画面の明るさに関しては、入力輝度値としてよく使うのは５０％まであり、明るい肌の色もこの近辺に来るため、その明るい部分である５０％までの部分での輝度値の変化が少なければ画像の明るさの変化を認知し難い。
この変化量の許容値の基準として、マンセルの色票でのＶ値を参考とすると、５と4程度の輝度差であれば、ＪＩＳで規定されているように、灰色として分類され、通常同じ色として認知できる。
しかし、３程度まで変化すると、色の分類自体も、暗い灰色と規定され、色が違うものと認知しがちである。
そこで、この輝度差であるＹｃ値が、１９．２７と、１１．７０であることから、その比から、その変化量として、４０％を規定するのが妥当であると考えられ、実際にこの程度の変化の映像を視聴しても、肌色が日焼するような印象の差異は、認知できなかった。
また、より厳しい用途としては、５と、４．５程度の差から、１９．２７と、１５．１９の比から２０％程度に抑えても良い。
【００２８】
＜拡散フィルムを搭載＞
このような液晶表示装置を実現するにあたり、入力信号が５０％程度でどの角度から見ても輝度が変わらないがガンマ値が変化する垂直配向型の液晶に拡散フィルムを液晶の前側偏光板に配置することによって、それぞれの向きでの光が十分に混ぜ合わせられ、上記のような液晶表示装置が実現可能である。
このとき、拡散体として、ミー散乱領域である０．１〜０．５μmのサイズの拡散体を有する事により、液晶及びリタデーションフィルムの波長依存性を補正するような波長依存性により、効果的に色の補正が行われる。
【００２９】
また、このようなフィルムを垂直配向液晶に用いた場合には、通常、ガンマの変化が大きくなりすぎる事から高い透過率となるような信号レベルでは使用できなかったが、このような拡散を適時入れることにより、そのような高い透過率でも使用できる可能性がでてくる。
【００３０】
＜付帯機能＞
また、この保護フィルムの拡散層と反対面には、ハードコート層や反射防止処理，スティッキング防止，防汚，帯電防止や、拡散ないしアンチグレアを目的とした処理を施したものであっても良い。
また、負の一軸異方性を有するようなリタデーションフィルムとともに用いることも可能である。
【００３１】
＜必要な輝度＞
日本のリビングの環境では平均して照度が１００lux程度であるため、最も明るい白輝度を、３０ｃｄ／ｍ2になるようにバックライトユニットにする事によりもっとも効率が良く、目にも優しくできる。
そのハイライト部分を考慮した場合には、輝度として、６０ｃｄ／ｍ2程度を有していれば更に表現力を増すことができる。
また、店頭販売時を考えるとの照度１０００lux程度であるため最も明るい白輝度を、３００ｃｄ／ｍ2になるようにする必要がある。
【００３２】
さらに、従来のモニターのようなものであれば、モニター正面から観察するため正面に光を集めてくることにより、良好な画像の表示装置が得られたが、映像を複数の人で視聴するようなテレビでは、常に視聴者の正面に表示装置があるわけではなく、したがって様々な角度で十分な明るさ有し、良好な画像を得ようとすると、高い照度が必要となる。
【００３３】
一方で、近年環境の対する負荷を減らす、または、持ち歩く際のバッテリーの持ちを良くするために、バックライトユニットの光の利用効率を高めるための要望が強くなってきている。
そのため、これらを両立するため、バックライトユニットの光の利用効率が重要となってくる。
【００３４】
＜照度により輝度を変化＞
人間の眼は、周辺の明るさに応じて最適と感じる明るさが変化するため、周辺の照度の応じて画面の明るさを変化させるの望ましい。
例えば、店頭では、１０００Lux程度の照度があるのため、この場合、理想白色板の正面輝度は、１０００/３．１４≒約３００cd/m2であるため、この輝度を白色とするのが良い。
通常、屋内の人工照明ではこれより明るい環境、映像を視聴しないので、スペックとしては、ここまであれば十分である。
日本のリビングの環境では、平均して照度が１００lux程度であるため、最も明るい白輝度を３０ｃｄ／ｍ2になるようにバックライトユニットを制御することにより、最も効率がよく、目にも優しくできる。
そのハイライト部分を考慮した場合には、輝度として、６０ｃｄ／ｍ2程度を有していれば更に表現力を増すことができる。
また、屋外での使用が想定される場合においては、強い日光の下での特段の工夫をするのが良い。
例えば、低反射コートや、外光を利用した反射の成分を取り入れた液晶表示装置の採用などである。
【００３５】
これの輝度調整を、照度を測定するセンサーを備え、周囲の明るさに合わせてセンサーの値によりバックライトユニットの明るさを変える機構を用いることにより、消費電力を抑制することができる。
また、これにより、暗い環境下で、黒輝度も同時に落とせるため、黒が締まった画像を得る事が可能となる。
【００３６】
＜ハイライトのガンマ低下＞
また、ＬＣＤでは、バックライトユニットの明るさを画面の最も明るいものに合わせる必要があるため、この最も明るい所の輝度を抑える事ができれば、バックライトユニットの明るさを抑えることが可能である。
ところで、このようなもっとも明るいところは映像のどういうところかを考えると、略ハイライトの部分である。
このような部分は、多少明るさが落ちても、画像の全体の明るさに影響が出ない。
【００３７】
例えばＮＴＳＣであれば、元のガンマは、２．２であり、７５%の入力信号であれば、輝度としては、１００％の場合の５３％、PALの場合は、４７%となる。
一方、７５％より上の信号は、ほとんどハイライトと考えて良いため、これをきれいな階調で表現しても、ほとんど映像には影響がない。
全体の画像の明るさを保つためには、最大５０％程度より輝度が高くなるようにガンマを設定すればよく、そのため、入力信号が、５０〜７５％のところで、ガンマ値を低下させる事によって、０から５０％程度の良く使われる信号域において、輝度を１．５倍から、２倍程度まで上げる事が可能となる。
例えば、入力がフルレンジの７５%のときに最大輝度の７５％と設定すれば、約５０％輝度が明るくなったような画像が得られる。
数値としては、経験的にはこの程度が良いが、特にこの輝度値に限定するものではなく、７５％程度より上では、それより低い信号レベルのガンマより低下させたものを用いれば良い。
【００３８】
このようなことは、ガンマが見る角度によって変わってしまうしまう液晶表示装置では、設定が非常に困難であるため、ガンマの変化を抑える事により始めて可能になる。
【００３９】
＜高透過カラーフィルター＞
また、液晶表示装置でフルカラー表示を行なうためのカラーフィルターも、透過率が低いため、これの透過率を上げる事によっても、表示の輝度を上げる事が可能である。
通常のモニター等では、原色の色を用いて、文字等を表示するため、彩度の低い明るいフィルターを用いても、画質は上がらなかった。
しかし、映像を主として入力するディスプレイにおいては、特に明るい部分では、彩度が落ちたハイライトのようなものとなってくるため、その部分を表現するために、彩度の低い明るいフィルターを用いる事により、より高透過率のカラーフィルターを得る事ができる。
これにより、輝度を５０〜１００％程度上げることが可能となる。
このようなフィルターとして、透過率が波長によって変化しない白を使用すれば作成も容易で、透過率も高いものが得られる。
またエメラルドグリーンのフィルターを用いれば、透過率を上げ、色域も広げる事が可能である。
【００４０】
同様に、反射型偏光板や、正面に光を集光させるような光学シート等を併用することにより輝度を向上させる事も可能である。
これらの工夫により、バックライトユニットのランプの光の利用効率を何も無い場合と比較し、３倍程度まで、上げる事が可能となる。
通常の液晶テレビでは、２０型テレビで１００Ｗ程度の定格であり、最低でも、約５０Ｗ〜７５Ｗ程度に抑える事が可能となる。
また、店頭での展示では、非常に照度が高く、約１０００Lux程度になっていることがある。
【００４１】
一方で、通常のリビングの照度は、１００lux程度であり、明るいリビングでも３００lux程度であるため、販売の最の展示の方法を工夫し照度を落とした場所にする事によって、定格最大の輝度を１００cd/m2程度に抑えたテレビでも、十分な映像が得られるようになるため、それによって、映像の質を低下させずに、更に定格の出力を１７〜２５Ｗ程度まで、抑える事ができ、電源回路、バックライトユニットの低コスト化が図れる。
さらに、周囲の明るさに合わせてバックライトユニットの明るさを変える機構を用いる事により、通常のリビングの環境において消費電力を数Ｗ程度に抑える事が可能となる。
【００４２】
尚、上記のような液晶映像装置は、上記の範囲以外では、画面が白茶け、肌の血色が悪い印象を、または明るさの低下によりの色の印象が異なって認知されてしまい、人間の目の特性に依存し、本発明の目的を達成するために、必要不可欠であり、単なる設計値ではない。
尚、上記数値より、更に変化を抑制する事は、その効果はほとんど認知されず、不経済である。
また、従来の発明において、文字等を主に表示するモニター等向けの視域を拡大する目的で液晶パネルの前面に拡散フィルムを配置したものがあるが、本発明では、いわゆる視域の拡大を主目的ではなく、どこから見ても階調、明るさの変化が少なく、見た目の印象が変わらないような液晶映像表示装置を提供する事を主目的とした発明であり、用途が違うために、例えば文字ボケ等もなく、視野角の捉え方も従来であれば、文字が読め、原色に近い色を認知できる範囲を広げる事を中心として考えているため着想そのものが違うものであり、これら従来技術から容易に想到しうるものではない。
【実施例１】
【００４３】
ＭＥＫで溶かした、酢酸ビニルのＳＮ−１２Ｔに、アクリルモノマーであるＭ−１１０を、重量比で、5：1の割合で混合し、富士写真フイルム製ＴＡＣ（８０μｍ厚）のフジタックに塗工し、加熱により溶剤を揮発させ、約１８μｍの膜厚となるよう塗布し、紫外線を約５００ｍＪ／ｃｍ2少照射後、１２０度で１０分加熱し、相分離した光拡散体が得られた。このフィルムを１５画型液晶テレビのＫＬＶ−１５ＡＰの表面に貼合した。
これを、ＥＬＤＩＭ社製 Ｅｚｌｉｔｅによって色の上下方向の変化を計測したところ、ガンマの変化が正面で、１．８，４５度で１．３のものが得られた。
色変化はΔU’V’で０．０４に抑えられた。
また、実装によるフルレンジの入力信号での輝度の低下は、２０％程度であった。
また、このとき、入力信号がフルレンジの５０％程度の所の輝度の変化として２０％程度に抑えることができた。
【図面の簡単な説明】
【００４４】
【図１】本発明の映像表示装置の斜め方向で画面法線に対して０度，３０度，４５度で測定した時の階調特性を表すグラフ。
【図２】ＶＡ方式の映像表示装置の斜め方向で画面法線に対して０度，３０度，４５度で測定した時の階調特性を表すグラフ。
【図３】ＩＰＳ方式の映像表示装置の斜め方向で画面法線に対して０度，３０度，４５度で測定した時の階調特性を表すグラフ。
【図１】
2007248803.tif 000003
【図２】
2007248803.tif 000004
【図３】
2007248803.tif 000005